(57)【要約】【課題】熱検知素子を内装するプロテクタ部を、感知器ボディの下方に設けた熱感知器において、プロテクタ部取付作業を省略し、かつ天井裏からの外気によって熱検知素子を不用意に冷却させることのない熱感知器を提供する。【解決手段】感知器ボディ１の下方に、通気窓２１を形成し、熱検知素子４４を内装するプロテクタ部２を一体成型した本体Ａを備え、プロテクタ部２と感知器ボディ１との間に形成された連通開口部１０に、熱検知素子挿通孔３３を形成した遮蔽板３を介在させることで、感知器ボディ１とプロテクタ部２との間の空気の流通を遮断する構造にしている。【選択図】図１
2006172347.tif 000002
【特許請求の範囲】
【請求項１】
感知器ボディの下方に、通気窓を形成し、熱検知素子を内装するプロテクタ部を一体成型した熱感知器において、
上記プロテクタ部と感知器ボディとの連通開口部に、熱検知素子挿通孔を形成した遮蔽板を介在させて、上記感知器ボディと上記プロテクタ部との間の空気の流通を遮断する構造にしている熱感知器。
【請求項２】
請求項１において、
上記遮蔽板は、均一な高さの周壁の下方に、中央に熱検知素子挿通孔を形成した鍔部を設けた形状をなし、上記鍔部は上記感知器ボディの上記連通開口部の周囲に形成した凹所に嵌入されるとともに、上記周壁の上縁には、上記基板ブロックが載置される構造にしている、熱感知器。
【請求項３】
請求項１または２において、
上記熱検知素子挿通孔は、その外周部から孔に向かって先窄状に形成された誘い込み傾斜部を設けている、熱感知器。
【発明の詳細な説明】
【技術分野】
【０００１】
本発明は、感知器ボディの下方に、熱検知素子を内装させるプロテクタ部を設けた熱感知器の改良に関する。
【背景技術】
【０００２】
この種の構造の熱感知器は、特許文献１などで提案され、従来より広く使用されている。
【０００３】
このものは、図８に示すように、感知器ボディ１００内に、熱検知素子４４０を備えた基板ブロック４００を取り付けた状態で、感知器ボディ１００の下方よりプロテクタ部２００を取り付け、基板ブロック４００に設けた熱検知素子４４０をプロテクタ部２００に内装させる構造になっているが、プロテクタ部２００の感知器ボディ２００への取り付けは、プロテクタ部２００の取付爪２００ａを感知器ボディ１００の取付孔１００ａに嵌入れ、係合させることでなされている。
【特許文献１】特開平１１−７３５８１号公報
【発明の開示】
【発明が解決しようとする課題】
【０００４】
しかしながら、このような構造では、熱感知器の取付作業を行う際には、感知器ボディに基板ブロックを内装させた後、プロテクタ部を感知器ボディの下方から取付爪により取付ける作業が必要となり、面倒であった。
【０００５】
そこで、この作業を省略させるべく、感知器ボディにプロテクタ部を一体成形することが望まれるが、これらを一体成形をした場合、感知器ボディとプロテクタ部との間で連通開口部ができしまうため、天井裏から侵入した外気が感知器ボディを通じて熱検知素子に当たり、熱検知素子を不用意に冷却させ、正確な熱検知ができないおそれがある。
【０００６】
従って、本発明は、このような問題を解決するために提案され、感知器ボディにプロテクタ部を一体成形することによってプロテクタ部取付作業の省略を図ると同時に、一体成形した場合においても、天井裏から内部に侵入した外気が連通開口部を通じて熱検知素子に当たり、不用意に冷却させることが殆どない熱感知器を提供することを目的とする。
【課題を解決するための手段】
【０００７】
上記目的を達成するために、本発明の請求項１では、感知器ボディの下方に、通気窓を形成し、熱検知素子を内装するプロテクタ部を一体成型した熱感知器において、プロテクタ部と感知器ボディとの連通開口部に、熱検知素子挿通孔を形成した遮蔽板を介在させて、感知器ボディとプロテクタ部との間の空気の流通を遮断する構造にしている。
【０００８】
請求項２では、遮蔽板は、均一な高さの周壁の下方に、中央に熱検知素子挿通孔を形成した鍔部を設けた形状をなし、鍔部は感知器ボディの連通開口部の周囲に形成した凹所に嵌入されるとともに、周壁の上縁には、基板ブロックが載置される構造にしている。
【０００９】
請求項３では、熱検知素子挿通孔は、その外周部から孔に向かって先窄状に形成された誘い込み傾斜部を設けている。
【発明の効果】
【００１０】
請求項１によれば、プロテクタ部を感知器ボディに一体成形しているため、プロテクタ部を取り付ける作業が省略できる。
また、プロテクタ部と感知器ボディとの連通開口部に遮蔽板を介在させて、感知器ボディとプロテクタ部との間の空気の流通を遮断するので、天井裏から感知器ボディ内に侵入した外気が連通開口部を通じて、熱検知素子に当たって、不用意に冷却することが防止できる。
【００１１】
請求項２では、遮蔽板の鍔部を凹所に嵌入することで、遮蔽版の位置ずれがなく、また、基板ブロックの下面より突出した熱検知素子を、鍔部の中央に形成した挿通孔よりプロテクタ部に突出させるようにして、周壁の上に基板ブロックを載せるだけで、感知器ボディからプロテクタ部への外気の流入が遮断できる。
【００１２】
請求項３では、熱検知素子挿通孔は、その外周部から孔に向かって先窄状に形成された誘い込み傾斜部を設けているので、折損しやすい熱検知素子の挿入が、孔の開口縁に引っかかることなくスムーズに行える。
【発明を実施するための最良の形態】
【００１３】
以下に、本発明の実施の形態について説明する。
【実施例１】
【００１４】
図１は、本発明の熱感知器の一例を示す分解斜視図である。
【００１５】
１は感知器ボディ、２は通気窓２１を形成したプロテクタ部、３は遮蔽板、４は基板ブロックである。感知器ボディ１とプロテクタ部２とは、図に見るように、一体的に成型され、本体Ａを形成している。
従って、本体Ａは、ボディ１とプロテクタ部２とを一体成型によって生じた連通開口部１０を有するが、その連通開口部１０は遮蔽板３によって塞がれるようになっている。
【００１６】
また、感知器ボディ１は、その内部に、基板ブロック４を内装するために、端子接続支持座１１、１１と、先端に小突起１３ａを有した基板ブロック支持座１３、１３を設けている。
【００１７】
遮蔽板３は、その底面３０には鍔部３１を設け、該鍔部３１には、中央に熱検知素子挿通孔３３を形成した周壁３２を設けている。
この挿通孔３３は、基板ブロック４を感知器ボディ１に内装する際、熱検知素子４４の挿入時の引っ掛かりをなくすために、挿通孔３３の外周から孔に向うにつれて傾斜した誘い傾斜部３３ａを形成している（図４（ｂ）参照）。
【００１８】
なお、火災感知器として使用される場合には、感知器本体Ａの上方には、天井面に取り付けされるベース部が結合され、天井面などに取り付けて使用されるが、この場合、天井面に固定されたベース部（不図示）に対して、感知器ボディを一定方向に回動させることで、感知器ボディ１内の栓刃受け接続端子５と、ベース部内に設けた栓刃接続端子（不図示）とが嵌合されて、感知器本体とベース部とが結合される。
【００１９】
また、基板ブロック４は、電子部品を実装した回路基板を防水性保護膜４０で被覆された構造となっている。
このような基板ブロック４は、取付孔部４１ａを形成した取付片４１と、接続孔４２ａを形成した端子部４２、４２とを４隅に設け、下面には、サーミスタなどで構成された熱検知素子４４を設けており、取付片４１、４１、端子部４２、４２と熱検知素子４４を露出させ、それ以外の部分を防水性保護層４０で覆った構造となっている。
【００２０】
以上のような構造によれば、基板ブロック４の下面より突出した熱検知素子４４を、遮蔽板３の鍔部３１の中央に形成した挿通孔３３よりプロテクタ部２の内部に突出させるようにして、遮蔽板３の鍔部３１を、感知器ボディ１の連通開口部１１の周辺に形成した凹所１２に嵌め入れ、その状態で遮蔽板３の周壁３２上に基板ブロック４を載せ、基板ブロック４の取付孔部４１ａを基板ブロック支持座部１３、１３に載せてネジなどで固着することができる（図２（ａ），（ｂ）参照）。また、基板ブロック４は、防水性保護層４０で被覆されているので、感知器ボディ１内に多少の水分が浸入しても、検知動作に支障を与えることがない。
【００２１】
図２は、感知器ボディ１に、遮蔽板３、基板ブロック４を組み付けた態様の一例を示す図であり、図２（ａ）は上方から見たときの平面図、図２（ｂ）は側面から見たときの断面図である。
【００２２】
このように、感知器ボディ１の底面に、遮蔽板３，基板ブロック４を組み付けたときには、遮蔽板３の鍔部３１が、連通開口部１０の周囲に形成した凹所１２に嵌入することで位置ズレがなく、連通開口部１０を除いて塞いだ態様となる。また、遮蔽板３の周壁３２上に載置した基板ブロック４は、周壁が均一な高さに形成されているので、基板ブロック４の底面を周壁３２の上縁に密着させて載置できる。
【００２３】
図３は、本発明の熱感知器を天井面に取り付けた態様を示す縦断面構造図である。また、図４（ａ）は外気流入遮断構造の詳細を示す断面図であり、図４（ｂ）は熱検知素子挿通孔の詳細を示す断面図である。
【００２４】
本発明の感知器は、天井面８に取り付けられた場合には、天井面８とベース部７には、感知器回線（不図示）を導出させる入線孔８ａ，７ａが形成され、その入線孔８ａ，７ａより感知器回線を導出させ、ベース部７を天井面８に取り付けた上で、前述したようにして感知器ボディ２を取り付ける。
【００２５】
また、このようにして天井面８に取り付けられた状態では、感知器ボディ１とプロテクタ部２との間に形成された連通開口部１０は、基板ブロック４と遮蔽板３が介在している。
従って、感知器ボディ１内部からプロテクタ部２へ流通する空気の流路が遮断され、更に感知器ボディ１内部から、熱検知素子挿通孔３３を通じてプロテクタ部２へ流通する空気の通路が遮断される。
【００２６】
したがって、天井面などから感知器内部に入り込んだ外気がプロテクタ部に入り込んで、プロテクタ部に内装されている熱検知素子が冷却されて、環境温度の検知に支障を与えることがない。なお、図４（ａ）の矢印は、遮蔽版３によって遮断される気流の流路を示している。
【００２７】
また、遮蔽板３は、図４（ｂ）に示すように、底面３０の中央に形成した熱検知素子挿通孔３３の周囲には、孔の外周縁から孔に向かって先窄状に開口する誘い込み傾斜部３３ａが形成され、これによって熱検知素子の挿通孔での引っ掛かりをなくし、熱検知素子４４をプロテクタ部２にスムーズに内装できるようにしている。
【００２８】
ついで、基板ブロック４の配線接続構造について説明すると、
感知器ボディ部１は、図１に示したように、前述した基板ブロック取付支持座部１３、１３に加えて、基板ブロック４の端子部４２、４２を載置した状態で配線作業を行うために、一対の端子接続支持座１１，１１が設けられている。
この端子接続支持座１１，１１は、基板ブロック取付支持座部１３、１３とは反対側で対角配置されている。
【００２９】
図５は、端子接続支持座の上に基板ブロックを載置いた状態を示す部分概略説明図、図６は端子接続支持座に載置した基板ブロックを感知器ボディ内の接続端子と接続させた状態を示している。
【００３０】
端子接続支持座１１は、図に示したように、感知器ボディ１の底面に突出形成した脚部の上方の一部を切欠して形成した支持部１１ａを有しており、その上に基板ブロック４の端子部４２を載せ置くようになっており、端子部４２に導電体を設け、それに貫通孔を形成して構成された接続孔４２ａには、栓刃受け接続端子５に接続された接続金具６の先端より突出させたピン６ａを突出させ、半田付けすることで、基板ブロック４の電気的接続が行えるようになっている。
【００３１】
接続構造は、図例のようなものには限定されず、例えば、端子部４２に導電部を設けて、それを端子接続支持座１１に設けた導電部（いずれも不図示）に接触させたり、ネジ止めするなどして接続できるものでもよい。
【００３２】
このような接続構造によれば、基板ブロック４を感知器ボディ１内に静置した状態で接続作業ができるので、組み立てが容易である。
【００３３】
また、基板ブロック４の接続に信号線を使用しないので、部品点数も軽減されるだけでなく、リード線を使用する場合に比べて作業の障害にならないために、組み立て作業を容易にできる利点がある。
【００３４】
図７は、本発明の火災感知器の他例を示す分解斜視図である。
【００３５】
本例では、基板ブロック４に信号線４５、光ガイド４６が直接接続されている。
【００３６】
ここに、信号線４５は、その先端をベース部に設けた接続端子に接続され、光ガイド４６は光ファイバーなどで構成され、基端は、基板ブロック４の内部にあるプリント基板上に実装されたＬＥＤと接続され、その先端は感知器ボディの適所に設けた動作灯表示窓に導かれ、ＬＥＤからの発光を受けて動作表示灯として点灯ないし点滅するようになっている。
【００３７】
基板ブロック４には端子部はなく、信号線４５、光ガイド４６の全体部分が防水性樹脂膜４０で被覆された防水構造になっており、前述したと同じ方法で感知器ボディに固着され、内装される。なお、他の構成部については先述と同様であるため、図には同一の符号を付して、それらの説明は割愛する。
【図面の簡単な説明】
【００３８】
【図１】本発明の熱感知器の一例を示す分解斜視図
【図２】感知器ボディに、遮蔽板、基板ブロックを組み付けた態様の一例を示す図であり、図２（ａ）は上方から見たときの平面図、図２（ｂ）は側面から見たときの縦断面図
【図３】本発明の熱感知器を天井面に取り付けた状態を示す縦断面構造図
【図４】図４（ａ）は遮蔽板による外気流入遮断構造の詳細を示す断面図であり、図４（ｂ）は熱検知素子挿通孔の詳細を示す断面図
【図５】基板ブロックの端子部を端子接続支持座に載置させた状態を示す図
【図６】基板ブロックの端子部と感知器ボディ内の接続端子とを電気的に接続した状態を示す部分縦断面構造図
【図７】本発明の熱感知器の構成の他例を示す分解斜視図
【図８】従来の熱感知器の構造を示す断面図
【符号の説明】
【００３９】
Ａ  感知器本体
１  感知器ボディ
２  プロテクタ部
２１  通気窓
１０  連通開口部
１２  凹所
３  遮蔽板
３１  鍔部
３２  周壁
３３  熱検知素子挿通孔
３３ａ  誘い込み傾斜部
４  基板ブロック
４４  熱検知素子
【図１】
2006172347.tif 000003
【図２】
2006172347.tif 000004
【図３】
2006172347.tif 000005
【図４】
2006172347.tif 000006
【図５】
2006172347.tif 000007
【図６】
2006172347.tif 000008
【図７】
2006172347.tif 000009
【図８】
2006172347.tif 000010